(57)【要約】【課題】排出トレイに排出されたシートが見えない或いは見えづらいことがあっても、ユーザーによるシートの取り忘れを効果的に防止することができるシート取り忘れ報知装置及び原稿送り装置並びに画像形成装置を提供する。【解決手段】シートが排出された後に、排出トレイ上のシートの有無を検知する排出トレイセンサがシート有を検知した場合に排出トレイからのシートの取り忘れを報知するシート取り忘れ報知装置及び原稿送り装置並びに画像形成装置は、シートの大きさに応じてシートの取り忘れの報知パターンを異ならせる報知制御手段を備える。【選択図】図１２Ａ
2020136889.tif 000002
【特許請求の範囲】
【請求項１】
シートが排出された後に、排出トレイ上の前記シートの有無を検知する排出トレイセンサがシート有を検知した場合に前記排出トレイからの前記シートの取り忘れを報知するシート取り忘れ報知装置であって、
前記シートの大きさに応じて前記シートの取り忘れの報知パターンを異ならせる報知制御手段を備えることを特徴とするシート取り忘れ報知装置。
【請求項２】
請求項１に記載のシート取り忘れ報知装置であって、
前記報知制御手段は、前記シートの排出方向における長さに応じて前記報知パターンを異ならせることを特徴とするシート取り忘れ報知装置。
【請求項３】
請求項１に記載のシート取り忘れ報知装置であって、
前記報知制御手段は、前記シートの排出方向に直交する幅方向における幅に応じて前記報知パターンを異ならせることを特徴とするシート取り忘れ報知装置。
【請求項４】
請求項１に記載のシート取り忘れ報知装置であって、
前記報知制御手段は、前記シートの排出方向における長さと前記シートの排出方向に直交する幅方向における幅との組み合わせに応じて前記報知パターンを異ならせることを特徴とするシート取り忘れ報知装置。
【請求項５】
請求項１から請求項４までの何れか１つに記載のシート取り忘れ報知装置であって、
前記シートを載置する載置トレイと、
前記載置トレイ上に載置された前記シートの定型サイズを検出するサイズ検出手段と
を備え、
前記報知制御手段は、前記サイズ検出手段にて検出した前記シートの定型サイズに応じて前記報知パターンを異ならせることを特徴とするシート取り忘れ報知装置。
【請求項６】
請求項１から請求項４までの何れか１つに記載のシート取り忘れ報知装置であって、
前記シートの寸法を計測する計測手段をさらに備え、
前記報知制御手段は、前記計測手段にて計測した前記シートの寸法に応じて前記報知パターンを異ならせることを特徴とするシート取り忘れ報知装置。
【請求項７】
請求項１から請求項６までの何れか１つに記載のシート取り忘れ報知装置であって、
前記報知制御手段は、前記シートの排出方向における前記排出トレイの少なくとも一部を隠蔽する筐体の長さに基づく基準値を基準にして前記報知パターンの切り替え閾値を決定することを特徴とするシート取り忘れ報知装置。
【請求項８】
請求項１から請求項６までの何れか１つに記載のシート取り忘れ報知装置であって、
前記報知制御手段は、前記シートの排出方向に直交する幅方向における前記排出トレイの少なくとも一部を隠蔽する筐体の幅に基づく基準値を基準にして前記報知パターンの切り替え閾値を決定することを特徴とするシート取り忘れ報知装置。
【請求項９】
請求項１から請求項８までの何れか１つに記載のシート取り忘れ報知装置であって、
前記排出トレイ上に排出される異なる定型サイズの前記シートの混在を検出するサイズ混在検出手段と、混在した前記シートのサイズを記憶部に記憶する記憶制御手段とをさらに備え、
前記報知制御手段は、前記サイズ混在検出手段にて前記混在を検出した場合に、前記記憶部に記憶した前記シートのサイズのうち、前記シートの排出方向における最も短い長さのシートに対応する前記報知パターンで報知することを特徴とするシート取り忘れ報知装置。
【請求項１０】
請求項１から請求項８までの何れか１つに記載のシート取り忘れ報知装置であって、
前記排出トレイ上に排出される異なる定型サイズの前記シートの混在を検出するサイズ混在検出手段と、混在した前記シートのサイズを記憶部に記憶する記憶制御手段とをさらに備え、
前記報知制御手段は、前記サイズ混在検出手段にて前記混在を検出した場合に、前記記憶部に記憶した前記シートのサイズのうち、前記シートの排出方向に直交する幅方向における最も短い幅のシートに対応する前記報知パターンで報知することを特徴とするシート取り忘れ報知装置。
【請求項１１】
請求項１から請求項１０までの何れか１つに記載のシート取り忘れ報知装置であって、
ジョブ後に、前記排出トレイセンサがシート有を検知した場合に、以降のジョブにおいて前記排出トレイセンサがシート無を検知するまでジョブ毎に前記排出トレイ上に排出された前記シートのサイズを記憶部に記憶する記憶制御手段をさらに備え、
前記報知制御手段は、ジョブ開始前に、前記排出トレイセンサがシート有を検知した場合には、前記記憶制御手段にて前記記憶部にジョブ毎に記憶した前記シートのサイズに応じた前記報知パターンで報知することを特徴とするシート取り忘れ報知装置。
【請求項１２】
請求項１から請求項１１までの何れか１つに記載のシート取り忘れ報知装置を備え、前記シートは原稿であることを特徴とする原稿送り装置。
【請求項１３】
請求項１から請求項１１までの何れか１つに記載のシート取り忘れ報知装置又は請求項１２に記載の原稿送り装置を備えたことを特徴とする画像形成装置。
【発明の詳細な説明】
【技術分野】
【０００１】
本発明は、シート取り忘れ報知装置及び原稿送り装置並びに複写機、複合機、ファクシミリ装置等の画像形成装置に関する。
【背景技術】
【０００２】
シート取り忘れ報知装置を備えた原稿送り装置や画像形成装置では、シートが排出された後に、排出トレイ上のシートの有無を検知する排出トレイセンサがシート有を検知した場合に排出トレイからのシートの取り忘れを報知する構成が従来から知られている（例えば特許文献１，２参照）。
【０００３】
詳しくは、特許文献１には、排出トレイに原稿が存在している状態で、次の原稿読取のジョブが指示された場合に原稿の取り忘れの表示を行う技術が開示されている。また、特許文献２には、原稿載置部に原稿がセットされた場合に、原稿排出部の原稿の有無を判断し、原稿の有無に応じて原稿排出部に光を照射するランプの点灯、消灯、点滅を制御する技術が開示されている。
【０００４】
ところで、原稿送り装置等の構造によっては、排出トレイに排出されたシートが排出トレイの少なくとも一部を隠蔽する筐体に隠れて、排出されたシートが見えない或いは見えづらいことがある。そうすると、ユーザーはシートを取り忘れし易い。このことは、シートの排出方向における長さやシートの排出方向に直交する幅方向の幅が小さいシート、小サイズのシートで特に顕著となる。
【０００５】
これについて、原稿送り装置を例にとって、シートを原稿Ｇとし、排出トレイを原稿排出トレイ１６２として、図２１Ａから図２１Ｄを参照しながら以下に説明する。
【０００６】
図２１Ａは、Ａ３縦サイズの原稿Ｇが原稿排出トレイ１６２に排出された場合でのユーザーによる視認状態を示す斜視図である。図２１Ｂは、Ａ４横サイズの原稿Ｇが原稿排出トレイ１６２に排出された場合でのユーザーによる視認状態を示す斜視図である。図２１Ｃは、Ａ５縦サイズの原稿Ｇが原稿排出トレイ１６２に排出された場合でのユーザーによる視認状態を示す斜視図である。図２１Ｄは、Ａ５横サイズの原稿Ｇが原稿排出トレイ１６２に排出された場合でのユーザーによる視認状態を示す斜視図である。
【０００７】
図２１Ａに示すように、Ａ３縦サイズの原稿Ｇが原稿排出トレイ１６２に排出された場合には、ユーザーは原稿Ｇが大きい分、原稿Ｇの一部が筐体１６０ａに隠蔽されても原稿Ｇを視認し易い。これに対し、図２１Ｂ及び図２１Ｃに示すように、Ａ４横サイズ、Ａ５縦サイズの原稿Ｇが原稿排出トレイ１６２に排出された場合には、原稿Ｇが小さい分、原稿Ｇの大部分が筐体１６０ａに隠蔽されてユーザーはそのままの姿勢では原稿Ｇを視認し難い。また、図２１Ｄに示すように、Ａ５横サイズの原稿Ｇが原稿排出トレイ１６２に排出された場合には、原稿Ｇ全体が筐体１６０ａに隠蔽されてユーザーはそのままの姿勢では原稿Ｇを全く視認することができない。
【０００８】
この点に関し、特許文献１，２に記載の技術は、排出されたシートが見えない或いは見えづらい場合での課題を何ら考慮していない。
【先行技術文献】
【特許文献】
【０００９】
【特許文献１】特開２０１０−２５９０１０号公報
【特許文献２】特開２０１２−２３１３０５号公報
【発明の概要】
【発明が解決しようとする課題】
【００１０】
そこで、本発明は、排出トレイに排出されたシートが見えない或いは見えづらいことがあっても、ユーザーによるシートの取り忘れを効果的に防止することができるシート取り忘れ報知装置及び原稿送り装置並びに画像形成装置を提供することを目的とする。
【課題を解決するための手段】
【００１１】
前記課題を解決するために、本発明に係るシート取り忘れ報知装置は、シートが排出された後に、排出トレイ上の前記シートの有無を検知する排出トレイセンサがシート有を検知した場合に前記排出トレイからの前記シートの取り忘れを報知するシート取り忘れ報知装置であって、前記シートの大きさに応じて前記シートの取り忘れの報知パターンを異ならせる報知制御手段を備えることを特徴とする。また、本発明に係る原稿送り装置は、前記本発明に係るシート取り忘れ報知装置を備え、前記シートは原稿であることを特徴とする。また、本発明に係る画像形成装置は、前記本発明に係るシート取り忘れ報知装置又は前記本発明に係る原稿送り装置を備えたことを特徴とする。
【発明の効果】
【００１２】
本発明によると、排出トレイに排出されたシートが見えない或いは見えづらいことがあっても、ユーザーによるシートの取り忘れを効果的に防止することが可能となる。
【図面の簡単な説明】
【００１３】
【図１】本実施の形態に係る画像形成装置の概略構成を透視的に示す正面図である。
【図２】図１に示す画像形成装置の一例の外観を示す斜視図である。
【図３】図１に示す画像形成装置における表示部の初期画面を示す平面図である。
【図４】図１に示す画像形成装置における制御系のシステムブロック図である。
【図５】図１に示す原稿送り装置を示す斜視図である。
【図６】図１に示す原稿送り装置の平面図である。
【図７】図１に示す原稿送り装置の正面図である。
【図８】図１に示す原稿送り装置の側面図である。
【図９】光源収納部近傍を示す拡大底面図である。
【図１０】原稿排出トレイに対する光源の位置関係を模式的に示す側面図である。
【図１１】図１に示す原稿送り装置の断面図である。
【図１２Ａ】記憶部に予め記憶された原稿選択用の第１テーブルを示す図表である。
【図１２Ｂ】記憶部に予め記憶された原稿計測用の第２テーブルを示す図表である。
【図１３Ａ】排出方向において原稿が所定の基準大きさ範囲の下限値よりも小さい場合での光源の第１報知パターンの一例を示すタイミングチャートである。
【図１３Ｂ】排出方向において原稿が所定の基準大きさ範囲の下限値よりも小さい場合での光源の第１報知パターンの他の例を示すタイミングチャートである。
【図１４】排出方向及び幅方向において原稿が所定の基準大きさ範囲内にある場合での光源の第２報知パターンの一例を示すタイミングチャートである。
【図１５Ａ】排出方向及び幅方向において原稿が所定の基準大きさ範囲の上限値よりも大きい場合での光源の第３報知パターンの一例を示すタイミングチャートである。
【図１５Ｂ】排出方向及び幅方向において原稿が所定の基準大きさ範囲の上限値よりも大きい場合での光源の第３報知パターンの他の例を示すタイミングチャートである。
【図１６】光源の動作中に排出トレイセンサがオフした場合での光源の報知パターンを示すタイミングチャートである。
【図１７Ａ】排出方向において原稿排出トレイ上に異なる定型サイズの原稿が混在する場合での報知制御の一例を説明するための説明図である。
【図１７Ｂ】幅方向において原稿排出トレイ上に異なる定型サイズの原稿が混在する場合での報知制御の他の例を説明するための説明図である。
【図１８Ａ】原稿排出トレイ上に過去のジョブの原稿が存在して異なる定型サイズの原稿が混在する場合での報知制御の一例を説明するための説明図である。
【図１８Ｂ】原稿排出トレイ上に過去のジョブの原稿が存在して異なる定型サイズの原稿が混在する場合での報知制御他の例を説明するための説明図である。
【図１８Ｃ】原稿排出トレイ上に過去のジョブの原稿が存在して異なる定型サイズの原稿が混在する場合での報知制御のさらに他の例を説明するための説明図である。
【図１９】通常の原稿取り忘れ報知動作の制御の一例を示すフローチャートである。
【図２０Ａ】本実施の形態に係る原稿取り忘れ報知動作の制御の一例を示すフローチャートである。
【図２０Ｂ】本実施の形態に係る原稿取り忘れ報知動作の制御の一例を示すフローチャートである。
【図２０Ｃ】本実施の形態に係る原稿取り忘れ報知動作の制御の一例を示すフローチャートである。
【図２１Ａ】Ａ３縦サイズの原稿が原稿排出トレイに排出された場合でのユーザーによる視認状態を示す斜視図である。
【図２１Ｂ】Ａ４横サイズの原稿が原稿排出トレイに排出された場合でのユーザーによる視認状態を示す斜視図である。
【図２１Ｃ】Ａ５縦サイズの原稿が原稿排出トレイに排出された場合でのユーザーによる視認状態を示す斜視図である。
【図２１Ｄ】Ａ５横サイズの原稿が原稿排出トレイに排出された場合でのユーザーによる視認状態を示す斜視図である。
【発明を実施するための形態】
【００１４】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１５】
図１は、本実施の形態に係る画像形成装置１００の概略構成を透視的に示す正面図である。図２は、図１に示す画像形成装置１００の一例の外観を示す斜視図である。図３は、図１に示す画像形成装置１００における表示部１２２の初期画面１２０ａを示す平面図である。また、図４は、図１に示す画像形成装置１００における制御系のシステムブロック図である。なお、図１及び図２において、符号Ｘは、横方向（左右方向）を、符号Ｙは、幅方向（前後方向）を、符号Ｚは、高さ方向（上下方向）を示している。
【００１６】
画像形成装置１００は、コピー機能、スキャナ機能、ファクシミリ機能及びプリンタ機能を有する複合機であり、画像読取装置１０２によって読み取られた原稿Ｇ（シート）の画像を外部に送信する。また、画像形成装置１００は、画像読取装置１０２にて読み取った原稿Ｇの画像又は外部から受信した画像をカラー若しくは単色で用紙（記録材）に画像形成する。
【００１７】
画像読取部１３０の上側には、画像読取部１３０に対して開閉自在に支持された原稿送り装置１６０〔自動原稿搬送装置（ＡＤＦ）〕が設けられている。画像読取装置１０２は、原稿送り装置１６０を備えている。原稿送り装置１６０は、１枚又は複数枚の原稿Ｇを１枚ずつ順に搬送する。画像読取装置１０２は、原稿送り装置１６０により１枚又は複数枚の原稿のうち１枚ずつ搬送される原稿Ｇを読み取る。画像読取装置１０２は、原稿Ｇを載置する原稿載置台１３０ａ（原稿セット台）と、原稿載置台１３０ａ上に載置された原稿を読み取る載置原稿読取機能とを備えている。画像形成装置１００は、原稿送り装置１６０が開かれると、画像読取部１３０の上方の原稿載置台１３０ａが開放され、原稿を手置きで置くことができるようになっている。また、原稿送り装置１６０は、原稿Ｇを載置する原稿載置トレイ１６１（載置トレイ）と、外部に排出された原稿Ｇを積載する原稿排出トレイ１６２（排出トレイ）とを備えている。画像読取装置１０２は、原稿送り装置１６０にて搬送された原稿Ｇを読み取る搬送原稿読取機能を備えている。原稿送り装置１６０は、原稿載置トレイ１６１に載置された原稿Ｇを画像読取部１３０における原稿読取部１３０ｂ上に搬送する。画像読取部１３０は、走査光学系１３０ｃを走査して原稿載置台１３０ａに載置された原稿を読み取るか又は原稿送り装置１６０にて搬送される原稿Ｇを読み取って画像データを生成する。
【００１８】
画像形成装置１００は、光走査装置１、現像装置２、感光体ドラム３、ドラムクリーニング装置４、帯電器５、中間転写ベルト７、定着装置１２、用紙搬送路Ｓ、給紙カセット１８、用紙排出トレイ１４１（胴内排出トレイ）を備えている。
【００１９】
画像形成装置１００では、ブラック（Ｋ）、シアン（Ｃ）、マゼンタ（Ｍ）、イエロー（Ｙ）の各色を用いたカラー画像、又は、単色（例えば、ブラック）を用いたモノクロ画像に応じた画像データが扱われる。画像形成装置１００の画像転写部５０には、４種類のトナー像を形成するための現像装置２、感光体ドラム３、ドラムクリーニング装置４及び帯電器５が４つずつ設けられ、それぞれがブラック、シアン、マゼンタ及びイエローに対応付けられ、４つの画像ステーションＰａ、Ｐｂ、Ｐｃ、Ｐｄが構成されている。
【００２０】
光走査装置１は、感光体ドラム３の表面を露光して静電潜像を形成する。現像装置２は、感光体ドラム３の表面の静電潜像を現像して、感光体ドラム３の表面にトナー像を形成する。ドラムクリーニング装置４は、感光体ドラム３の表面の残留トナーを除去及び回収する。帯電器５は、感光体ドラム３の表面を所定の電位に均一に帯電させる。上述した一連の動作によって、各感光体ドラム３の表面に各色のトナー像が形成される。
【００２１】
感光体ドラム３の上側には、中間転写ベルト７を介して中間転写ローラ６が配置されている。中間転写ベルト７は、転写駆動ローラ７ａ及び転写従動ローラ７ｂに張架され、矢符Ｃの方向へ周回移動する。画像形成装置１００では、ベルトクリーニング装置９によって残留トナーを除去及び回収し、各感光体ドラム３の表面に形成された各色のトナー像を順次転写して重ね合わせて、中間転写ベルト７の表面にカラーのトナー像を形成する。
【００２２】
２次転写部１１の転写ローラ１１ａは、中間転写ベルト７との間にニップ域が形成されており、用紙搬送路Ｓを通じて搬送されてきた用紙をニップ域に挟み込んで搬送する。用紙は、ニップ域を通過する際に、中間転写ベルト７の表面のトナー像が転写されて定着装置１２に搬送される。
【００２３】
定着装置１２は、用紙を挟んで回転する定着ローラ３１及び加圧ローラ３２を備えている。定着装置１２は、定着ローラ３１及び加圧ローラ３２の間にトナー像が転写された用紙を挟み込んで加熱及び加圧し、トナー像を用紙に定着させる。
【００２４】
給紙カセット１８は、画像形成に使用する用紙を蓄積しておくためのカセットであり、光走査装置１の下側に設けられている。用紙は、用紙ピックアップローラ１６によって給紙カセット１８から引き出されて、用紙搬送路Ｓに搬送される。用紙搬送路Ｓに搬送された用紙は、２次転写部１１や定着装置１２を経由し、排出ローラ１７に搬送され、用紙排出トレイ１４１に排出される。用紙搬送路Ｓには、搬送ローラ１３、レジストローラ１４及び排出ローラ１７が配置されている。搬送ローラ１３は、用紙の搬送を促す。レジストローラ１４は、用紙を一旦停止させて、用紙の先端を揃える。レジストローラ１４は、一旦停止した用紙を中間転写ベルト７上のカラートナー像とタイミングに合わせて搬送する。中間転写ベルト７上のカラートナー像は、中間転写ベルト７と転写ローラ１１ａとの間のニップ域で用紙に転写される。
【００２５】
なお、図１では、給紙カセット１８が１つとされているがこれに限定されず、複数の給紙カセット１８を設けた構成とし、それぞれに異なる種類の用紙を積載してもよい。
【００２６】
また、画像形成装置１００は、用紙の表面だけでなく、裏面に画像形成を行う場合は、用紙を排出ローラ１７から用紙反転経路Ｓｒに逆方向に搬送する。画像形成装置１００は、逆方向に搬送された用紙の表裏を反転し、レジストローラ１４に再度導く。また、画像形成装置１００は、レジストローラ１４に導かれた用紙を表面と同様にして裏面に画像形成し、用紙排出トレイ１４１に搬出する。
【００２７】
画像形成装置１００は、画像形成部１１０と、操作装置１２０（操作パネル）と、画像読取部１３０と、排出部１４０と、支持部１５０と、原稿送り装置１６０と、制御部１７０とを備えている。排出部１４０は、画像形成部１１０と画像読取部１３０との間に用紙を排出する。支持部１５０は、画像形成部１１０と画像読取部１３０との間に空間ＳＰを設けるように画像読取部１３０を支持する。
【００２８】
画像形成装置本体１０１は、略直方体形状とされている。画像形成装置本体１０１の上面には、画像読取部１３０が設けられ、画像読取部１３０上には、原稿送り装置１６０が取り付けられている。また、操作装置１２０は、画像読取部１３０に隣接しており、画像形成装置本体１０１の上面に設けられた画像読取部１３０の前面側に設けられている。ここで、前面側は、操作者が操作装置１２０を操作する操作側である。
【００２９】
（制御部）
図４に示すように、制御部１７０は、ＣＰＵ等のマイクロコンピュータからなる処理部１７１と、ＲＯＭ等の不揮発性メモリー、ＲＡＭ等の揮発性メモリーを含む記憶部１７２とを有している。制御部１７０は、処理部１７１が記憶部１７２のＲＯＭに予め格納された制御プログラムを記憶部１７２のＲＡＭ上にロードして実行することにより、各種構成要素の作動制御を行う。
【００３０】
操作装置１２０には、ジョブ（複写ジョブ、スキャンジョブ、ファクシミリジョブ）を実行するためのジョブ実行キー（図示省略）が入力操作可能に表示される。操作装置１２０には表示部１２２が設けられている。表示部１２２は、制御部１７０の出力系に電気的に接続されている。ここで、「ジョブ」とは、ユーザーが目的の画像形成操作を行って画像形成動作が終了するまでの一連の動作を言う。なお、図３に示す初期画面１２０ａにおいて、符号１２２ａ〜１２２ｆは、ソフトウェアキーであって、それぞれ、カラーモードを選択するカラーモードキー、コピー濃度を選択するコピー濃度キー、倍率を選択する倍率キー、原稿サイズを選択する原稿サイズキー、用紙サイズを選択する用紙キー、後述する特殊モード等の特別機能を選択する特別機能キーである。
【００３１】
画像形成装置１００は、報知部（この例では光源１８０）をさらに備えている。光源１８０は、制御部１７０の出力系に電気的に接続されており、制御部１７０からの作動信号により、点灯又は消灯することができる。
【００３２】
＜原稿取り忘れの報知制御＞
原稿送り装置１６０は、シート取り忘れ報知装置を備えている。原稿送り装置１６０は、排出トレイセンサ１９１を備えている。排出トレイセンサ１９１は、原稿排出トレイ１６２上の原稿Ｇの有無を示す信号を制御部１７０に送信する。これにより、制御部１７０は、原稿排出トレイ１６２上に原稿Ｇが有るか否かを認識（検出）することができる。排出トレイセンサ１９１は、従来公知のものを用いることができ、代表的には、原稿からの光を検知する光反射型センサや、原稿の有無によりオンオフするアクチュエータを備えた光透過型センサを挙げることができる。
【００３３】
制御部１７０は、ジョブ終了後、原稿Ｇが排出された後（全原稿排出完了後）の所定の待ち時間経過後に、排出トレイセンサ１９１が原稿有を検知した場合に原稿排出トレイ１６２からの原稿Ｇの取り忘れを報知する。詳しくは、制御部１７０は、光源１８０を所定の報知パターンで動作させる。この例では、制御部１７０は、光源１８０を点灯と消灯とを繰り返す所定の点灯パターンで動作させる。なお、原稿送り装置１６０が制御部を備え、原稿送り装置１６０において原稿Ｇの取り忘れを報知するようにしてもよい。
【００３４】
図５は、図１に示す原稿送り装置１６０を示す斜視図である。図６は、図１に示す原稿送り装置１６０の平面図である。図７は、図１に示す原稿送り装置１６０の正面図である。図８は、図１に示す原稿送り装置１６０の側面図である。図９は、光源収納部１６８近傍を示す拡大底面図である。図１０は、原稿排出トレイ１６２に対する光源１８０の位置関係を模式的に示す側面図である。また、図１１は、図１に示す原稿送り装置１６０の断面図である。
【００３５】
原稿排出トレイ１６２は、原稿排出口１６３から排出方向Ｈに沿って排出された原稿Ｇを積載する。原稿送り装置１６０では、正面から視た横方向Ｘにおいて、一方の端部側（図６では、左側）に搬送部１６４が設けられ、他方の端部側（図６では、右側）に原稿載置トレイ１６１及び原稿排出トレイ１６２が設けられている。原稿載置トレイ１６１と原稿排出トレイ１６２とは、高さ方向Ｚで並べて設けられ、原稿載置トレイ１６１が上段に配置され、原稿排出トレイ１６２が下段に配置されている。つまり、原稿載置トレイ１６１は、搬送部１６４の上部に設けられた原稿挿入口１６５から他方の端部側へ延伸して設けられている。原稿排出トレイ１６２は、搬送部１６４の下部に設けられた原稿排出口１６３から他方の端部側へ延伸して設けられている。従って、原稿載置トレイ１６１から原稿が挿入される方向（図６では、左向き）は、原稿排出トレイ１６２に対する原稿Ｇの排出方向Ｈ（図６では、右向き）に対して、向きが逆になっている。
【００３６】
原稿送り装置１６０では、原稿載置トレイ１６１に載置された原稿Ｇを、原稿挿入口１６５を介して搬送部１６４の内部に取り入れる。そして、搬送部１６４の内部において、画像読取装置１０２で読み取られた原稿Ｇは、原稿排出口１６３に設けられた原稿排出ローラ１６６を介して、搬送部１６４から排出されて原稿排出トレイ１６２に積載される。この例では、排出方向Ｈと直交する方向は、幅方向Ｙ（図６では、上下方向）としている。
【００３７】
原稿載置トレイ１６１は、原稿挿入口１６５と反対側の端部（原稿載置トレイ延伸端１６１ａ）よりも、原稿挿入口１６５に面する側の端部の方が、低くなるように傾斜している。すなわち、原稿載置トレイ１６１に原稿を載置した際、原稿Ｇは、自重によって、原稿挿入口１６５の側へ滑って移動するように傾斜が設けられている。原稿排出トレイ１６２は、原稿載置トレイ１６１と略同じように、原稿排出口１６３と反対側の端部（原稿排出トレイ延伸端１６２ａ）の方が、高くなるように傾斜している。
【００３８】
図６に示すように、原稿載置トレイ１６１は、平面視において、略矩形状に形成されており、切欠部１６７は、原稿載置トレイ１６１の角に対応する部分に設けられている。
【００３９】
画像形成装置１００では、通常、ユーザーが正面の側に立って操作することを想定しており、正面の側に操作装置１２０（操作パネル）などが設けられている。また、原稿Ｇや用紙を回収する際も、正面の側から手を差し入れ易いように設計されている。
【００４０】
原稿載置トレイ１６１の下面であって、切欠部１６７の近傍には、光源１８０を収納する光源収納部１６８が設けられている。光源収納部１６８は、切欠部１６７に沿った原稿載置トレイ１６１の外縁部であって、切欠部１６７よりも少し奥側に設けられている。光源収納部１６８近傍の構造については、図９を参照しながら説明する。
【００４１】
原稿排出トレイ１６２は、原稿排出トレイ延伸端１６２ａの側が高くなるように傾斜しており、この傾斜に基づいて傾斜面が設定されている。
【００４２】
図９は、原稿載置トレイ１６１を下方から見た状態であって、光源収納部１６８近傍を拡大して示している。原稿載置トレイ１６１の内部であって、光源収納部１６８に面する部分には、光源１８０が設けられている。また、光源収納部１６８には、原稿載置トレイ１６１の下面側の筐体１６０ａを開口する開口部１６９が設けられており、光源１８０の一部が開口部１６９を介して露出している。光源１８０は、例えば、ＬＥＤなどの発光素子を備えており、光源１８０から照射された光が開口部１６９から出射する。原稿載置トレイ１６１の切欠部１６７は、ユーザーが、原稿載置トレイ１６１と原稿排出トレイ１６２との間に手を差し入れやすくするために設けられており、原稿Ｇを取り出す際に注目されやすい。そこで、その近傍に光源１８０を配置することで、ユーザーの視界に入りやすくなり、光の照射が容易にわかる。
【００４３】
図１０では、原稿送り装置１６０について、原稿排出トレイ延伸端１６２ａが設けられている側の側面から見た状態を模式的に示している。なお、図１０では、図面の見易さを考慮して、原稿排出トレイ１６２上に積載された１枚の原稿Ｇを示しているが、これに限定されず、原稿排出トレイ１６２上には、複数の原稿Ｇが積載されてもよい。さらに、図１０に示す原稿Ｇは、原稿送り装置１６０で搬送される原稿Ｇのうち、幅方向Ｙの長さが最大サイズの原稿Ｇを示している。
【００４４】
光源１８０は、切欠部１６７の近傍に設けられ、原稿排出トレイ１６２（下方）に向かって光を照らす。図１０の一点鎖線は、光源１８０からの光が照射される範囲（照射範囲ＳＲ）を示している。なお、排出方向Ｈに対する照射範囲ＳＲは、適宜設定すればよく、積載された原稿Ｇと原稿排出トレイ１６２との両方を含むように設定されていることが好ましい。
【００４５】
原稿送り装置１６０は、原稿載置センサ１９２（図５参照）と、サイズセンサ１９３（図５、図６参照）と、搬送タイミングセンサ１９４（図１１参照）と、排出センサ１９５（図１１参照）とをさらに備えている。
【００４６】
原稿載置センサ１９２は、原稿載置トレイ１６１に載置される原稿Ｇの有無を検知する。サイズセンサ１９３は、原稿載置トレイ１６１に載置される原稿Ｇのサイズを検知する。搬送タイミングセンサ１９４は、原稿送り装置１６０内に搬送される原稿Ｇの有無を検知する。また、排出センサ１９５は、原稿Ｇが排出されたか否かを検知する。原稿載置センサ１９２、サイズセンサ１９３、搬送タイミングセンサ１９４及び排出センサ１９５は、制御部１７０の入力系に電気的に接続されている。
【００４７】
原稿載置センサ１９２は、原稿載置トレイ１６１上の原稿Ｇの有無を示す信号（オンオフ信号）を制御部１７０に送信する。これにより、制御部１７０は、原稿載置トレイ１６１に原稿Ｇが載置されたか否かを認識（検出）することができる。サイズセンサ１９３は、原稿載置トレイ１６１上の原稿Ｇのサイズを示す信号を制御部１７０に送信する。これにより、制御部１７０は、原稿載置トレイ１６１上の原稿Ｇのサイズを認識（検出）することができる。搬送タイミングセンサ１９４は、原稿送り装置１６０内に搬送される原稿Ｇの有無を示す信号（オンオフ信号）を制御部１７０に送信する。これにより、制御部１７０は、原稿送り装置１６０内に搬送される原稿Ｇの有（オン）と無（オフ）との間の時間と原稿Ｇの搬送速度から原稿Ｇの排出方向Ｈにおけるサイズを認識（検出）することができる。また、排出センサ１９５は、原稿送り装置１６０内から外部に排出される原稿Ｇの有無を示す信号（オンオフ信号）を制御部１７０に送信する。これにより、制御部１７０は、原稿送り装置１６０内から外部に排出される原稿Ｇの有（オン）と無（オフ）とで原稿Ｇの排出を認識（検出）することができる。
【００４８】
原稿載置センサ１９２、サイズセンサ１９３、搬送タイミングセンサ１９４及び排出センサ１９５は、従来公知のものを用いることができる。原稿載置センサ１９２、原稿Ｇの排出方向Ｈにおけるサイズを検知するサイズセンサ１９３、搬送タイミングセンサ１９４、及び、排出センサ１９５としては、代表的には、原稿Ｇからの光を検知する光反射型センサや、原稿Ｇの有無によりオンオフするアクチュエータを備えた光透過型センサを挙げることができる。
【００４９】
サイズセンサ１９３は、複数のサイズセンサで構成されている。この例では、複数のサイズセンサ１９３は、第１サイズセンサ１９３ａ、第２サイズセンサ１９３ｂ及び第３サイズセンサ１９３ｃの３つのサイズセンサとされている。第１サイズセンサ１９３ａは、原稿Ｇの搬送方向Ｅにおいて第２サイズセンサ１９３ｂよりも下流側に設けられている。制御部１７０は、原稿載置センサ１９２がオンされている状態において、第１サイズセンサ１９３ａ及び第２サイズセンサ１９３ｂを用いて、原稿Ｇの排出方向Ｈにおけるサイズを、例えば、次のようにして検出する。すなわち、制御部１７０は、第１サイズセンサ１９３ａ及び第２サイズセンサ１９３ｂによる検知結果に基づいて定型サイズの原稿Ｇを検出する。制御部１７０は、第１サイズセンサ１９３ａ及び第２サイズセンサ１９３ｂが何れもオフのときにＡ４縦サイズ以下の原稿Ｇを検出する。制御部１７０は、第１サイズセンサ１９３ａがオンで第２サイズセンサ１９３ｂがオフのときにＢ４縦サイズの原稿Ｇを検出する。また、制御部１７０は、第１サイズセンサ１９３ａ及び第２サイズセンサ１９３ｂが何れもオンのときにＡ３縦サイズの原稿Ｇを検出する。
【００５０】
また、第３サイズセンサ１９３ｃは、原稿Ｇの幅方向Ｙにおけるサイズを検知する。第３サイズセンサ１９３ｃ（図６参照）としては、代表的には、原稿Ｇの幅方向Ｙにおける移動を規制するガイド部材１６１ｂ，１６１ｂ（図５、図６参照）の幅方向Ｙにおける往復移動に伴って検出値（電気抵抗値）が変化する第３サイズセンサ１９３ｃ（可変抵抗器）を用いることができる。
【００５１】
また、搬送タイミングセンサ１９４は、複数の搬送タイミングセンサで構成されている。この例では、複数の搬送タイミングセンサ１９４は、第１搬送タイミングセンサ１９４ａ及び第２搬送タイミングセンサ１９４ｂの２つのサイズセンサとされている。第１搬送タイミングセンサ１９４ａは、原稿Ｇの搬送方向Ｅにおいて第２搬送タイミングセンサ１９４ｂよりも上流側に設けられている。例えば、制御部１７０は、第１搬送タイミングセンサ１９４ａによる原稿有（オン）の検知から第２搬送タイミングセンサ１９４ｂによる原稿Ｇの無（オフ）の検知までの時間と原稿Ｇの搬送速度とを掛け合わせた検知距離を算出する。制御部１７０は、得られた検知距離から、第１搬送タイミングセンサ１９４ａの検知位置と第２搬送タイミングセンサ１９４ｂの検知位置との間の検知距離を差し引くことで原稿Ｇの排出方向Ｈにおけるサイズを検出する。検知距離は予め記憶部１７２に記憶されている。
【００５２】
また、排出センサ１９５は、原稿Ｇの排出方向Ｈにおいて原稿送り装置１６０内から原稿Ｇが排出される原稿排出口１６３の上流側近傍に設けられている。
【００５３】
＜原稿の取り忘れの報知動作＞
次に、原稿Ｇの取り忘れの報知動作について説明する。原稿Ｇの取り忘れを報知する報知手段としては、原稿Ｇの取り忘れを光源の点灯、アラーム音、音声のうち何れか１つ又は少なくとも２つの組み合わせにより行う態様を例示できる。この例では、原稿Ｇの取り忘れの報知を光源１８０の点灯パターンにより行う。
【００５４】
ところで、原稿送り装置１６０等の構造によっては、原稿排出トレイ１６２に排出された原稿Ｇが原稿排出トレイ１６２の少なくとも一部を隠蔽する筐体１６０ａに隠れて、排出された原稿Ｇが見えない或いは見えづらいことがある。そうすると、ユーザーは原稿Ｇを取り忘れし易い。このことは、排出方向Ｈにおける長さや排出方向Ｈに直交する幅方向Ｙの幅が小さい原稿Ｇ、小サイズの原稿Ｇで特に顕著となる。ここで、筐体１６０ａは、原稿排出トレイ１６２の上方に空間を介して原稿載置トレイ１６１（原稿セット台）が設けられた構造のものである。
【００５５】
この点、本実施の形態では、図４に示すように、制御部１７０は、報知制御手段Ｐ１を備える。報知制御手段Ｐ１は、原稿Ｇが排出された後に、原稿排出トレイ１６２上の原稿Ｇの有無を検知する排出トレイセンサ１９１が原稿有を検知した場合に原稿排出トレイ１６２からの原稿Ｇの取り忘れを報知する。そして、報知制御手段Ｐ１は、原稿Ｇの大きさに応じて原稿Ｇの取り忘れの報知パターンＰＴ（ＰＴ１〜ＰＴ３）を異ならせる（後述する図１３Ａ、図１３Ｂ及び図１４参照）。こうすることで、原稿Ｇの大きさが小さいときには大きいときの報知パターンＰＴ（ＰＴ２，ＰＴ３）よりもユーザーに注意喚起させる報知パターンＰＴ（ＰＴ１）にすることができる。これにより、原稿排出トレイ１６２に排出された原稿Ｇが見えない或いは見えづらいことがあっても、原稿排出トレイ１６２上に原稿Ｇが有ることをユーザーに分かり易く報知することができる。従って、ユーザーによる原稿Ｇの取り忘れを効果的に防止することができる。このことは、排出方向Ｈにおける長さや排出方向Ｈに直交する幅方向Ｙの幅が小さい原稿Ｇ、小サイズの原稿Ｇで特に有効となる。
【００５６】
［第１実施形態］
本実施の形態おいて、報知制御手段Ｐ１は、原稿Ｇの排出方向Ｈにおける長さに応じて報知パターンＰＴ（ＰＴ１〜ＰＴ３）を異ならせる。こうすることで、原稿Ｇの排出方向Ｈにおける長さが小さいときには大きいときの報知パターンＰＴ（ＰＴ２，ＰＴ３）よりもユーザーに注意喚起させる報知パターンＰＴ（ＰＴ１）にすることができる。これにより、排出された原稿Ｇが排出方向Ｈで見えない或いは見えづらいことがあっても、ユーザーによる原稿Ｇの取り忘れを効果的に防止することができる。
【００５７】
本実施の形態において、報知制御手段Ｐ１は、原稿Ｇの排出方向Ｈに直交する幅方向Ｙにおける幅に応じて報知パターンＰＴ（ＰＴ１〜ＰＴ３）を異ならせる。こうすることで、原稿Ｇの幅方向Ｙにおける幅が小さいときには大きいときの報知パターンＰＴ（ＰＴ２，ＰＴ３）よりもユーザーに注意喚起させる報知パターンＰＴ（ＰＴ１）にすることができる。これにより、排出された原稿Ｇが幅方向Ｙで見えない或いは見えづらいことがあっても、ユーザーによる原稿Ｇの取り忘れを効果的に防止することができる。
【００５８】
本実施の形態において、報知制御手段Ｐ１は、原稿Ｇの排出方向Ｈにおける長さと原稿Ｇの排出方向Ｈに直交する幅方向Ｙにおける幅との組み合わせに応じて報知パターンＰＴ（ＰＴ１〜ＰＴ３）を異ならせる。こうすることで、原稿Ｇの排出方向Ｈ及び幅方向Ｙにおける長さ及び幅が小さいときには大きいときの報知パターンＰＴ（ＰＴ２，ＰＴ３）よりもユーザーに注意喚起させる報知パターンＰＴ（ＰＴ１）にすることができる。これにより、排出された原稿Ｇが排出方向Ｈ及び幅方向Ｙで見えない或いは見えづらいことがあっても、ユーザーによる原稿Ｇの取り忘れを効果的に防止することができる。
【００５９】
本実施の形態において、制御部１７０は、サイズ検出手段Ｐ２をさらに備える。サイズ検出手段Ｐ２は、原稿載置トレイ１６１上に載置された原稿Ｇの定型サイズを検出する。報知制御手段Ｐ１は、サイズ検出手段Ｐ２にて検出した原稿Ｇの定型サイズに応じて報知パターンＰＴ（ＰＴ１〜ＰＴ３）を異ならせる。こうすることで、別途原稿Ｇの大きさを検出する手段を設けることなく、既存のサイズセンサ１９３（第１サイズセンサ１９３ａ及び第２サイズセンサ１９３ｂ）を用いて報知パターンＰＴ（ＰＴ１〜ＰＴ３）を異ならせることができる。
【００６０】
図１２Ａは、記憶部１７２に予め記憶された原稿選択用の第１テーブルＴＢ１を示す図表である。第１テーブルＴＢ１には、原稿Ｇの定型サイズ及びその寸法並びに報知パターンＰＴ（ＰＴ１〜ＰＴ３）が記憶されている。制御部１７０は、サイズ検出手段Ｐ２にて検出した原稿Ｇの定型サイズから第１テーブルＴＢ１を参照して報知パターンＰＴ（第１報知パターンＰＴ１から第３報知パターンＰＴ３）のうち何れか１つを選択する。この例では、原稿ＧのＡ３縦、Ｂ４縦のサイズ検知を第３報知パターンＰＴ３に対応させている。原稿ＧのＡ４横、Ａ４縦のサイズ検知を第２報知パターンＰＴ２に対応させている。また、原稿ＧのＡ５横、Ｂ５縦、Ａ５縦のサイズ検知を第１報知パターンＰＴ１に対応させている。
【００６１】
本実施の形態において、制御部１７０は、計測手段Ｐ３を備える。計測手段Ｐ３は、原稿Ｇの排出方向Ｈにおける寸法を計測する。また、計測手段Ｐ３は、原稿Ｇの幅方向Ｙにおける寸法を計測する。報知制御手段Ｐ１は、計測手段Ｐ３にて計測した原稿Ｇの寸法に応じて報知パターンＰＴ（ＰＴ１〜ＰＴ３）を異ならせる。こうすることで、別途原稿Ｇの大きさを検出する手段を設けることなく、排出方向Ｈでは既存の搬送タイミングセンサ１９４（第１搬送タイミングセンサ１９４ａ及び第２搬送タイミングセンサ１９４ｂ）を用いて、また、幅方向Ｙでは原稿Ｇの幅方向Ｙの位置を規制するガイド部材１６１ｂ，１６１ｂの位置を検知する既存のサイズセンサ１９３（第３サイズセンサ１９３ｃ）を用いて、報知パターンＰＴ（ＰＴ１〜ＰＴ３）を異ならせることができる。
【００６２】
図１２Ｂは、記憶部１７２に予め記憶された計測用の第２テーブルＴＢ２を示す図表である。第２テーブルＴＢ２には、排出方向Ｈ及び幅方向Ｙにおける原稿Ｇの長さ及び幅、その寸法並びに報知パターンＰＴ（ＰＴ１〜ＰＴ３）が記憶されている。制御部１７０は、計測手段Ｐ３にて検出した排出方向Ｈ及び幅方向Ｙにおける原稿Ｇの長さ及び幅から第２テーブルＴＢ２を参照して複数の報知パターンＰＴ（第１報知パターンＰＴ１から第３報知パターンＰＴ３）のうち何れか１つを選択する。この例では、原稿Ｇの長さ３１０．０ｍｍ以上で幅２３３．５ｍｍ以上を第３報知パターンＰＴ３に対応させている。原稿Ｇの長さ３１０．０ｍｍ以上で幅２３３．５ｍｍ未満、原稿Ｇの長さ２３０．０ｍｍ以上３１０．０未満で幅１９６．０以上、原稿Ｇの長さ２３０．０ｍｍ未満で幅２７７．０ｍｍ以上を第２報知パターンＰＴ２に対応させている。また、原稿Ｇの長さ２３０．０ｍｍ以上３１０．０未満で幅１９６．０未満、原稿Ｇの長さ２３０．０ｍｍ未満で幅２７７．０ｍｍ未満を第１報知パターンＰＴ１に対応させている。
【００６３】
図１３Ａ及び図１３Ｂは、それぞれ、排出方向Ｈにおいて原稿Ｇが所定の基準大きさ範囲の下限値よりも小さい場合での光源１８０の第１報知パターンＰＴ１の一例及び他の例を示すタイミングチャートである。図１４は、排出方向Ｈ及び幅方向Ｙにおいて原稿Ｇが所定の基準大きさ範囲内にある場合での光源１８０の第２報知パターンＰＴ２の一例を示すタイミングチャートである。図１５Ａ及び図１５Ｂは、排出方向Ｈ及び幅方向Ｙにおいて原稿Ｇが所定の基準大きさ範囲の上限値よりも大きい場合での光源１８０の第３報知パターンＰＴ３の一例及び他の例を示すタイミングチャートである。
【００６４】
図１４に示す第２報知パターンＰＴ２（第２点灯パターン）は、光源１８０の所定のオン時間ｔ２１（５００ｍｓｅｃ）での点灯と、所定のオフ時間ｔ２２（５００ｍｓｅｃ）での消灯との所定の点滅回数ｉ（ｉは１又は２以上の整数、ｉ＝３回）の点滅を所定の間隔ｔ２３（１０００ｍｓｅｃ）で所定の繰り返し回数ｍ２１（ｍ２１は２以上の整数）（３回）繰り返す動作時間Ｔｓ２（１１．０ｓｅｃ）のパターンである。
【００６５】
排出方向Ｈにおいて原稿Ｇが所定の基準大きさ範囲の下限値よりも小さい場合、原稿送り装置１６０等の構造により、原稿Ｇが残されているのが分かり難い。このため、制御部１７０は、図１３Ａに示す第１報知パターンＰＴ１（第１点灯パターン）のように、間隔ｔ１３を間隔ｔ２３と同じとし、光源１８０の動作時間Ｔｓ１を、図１４に示す第２報知パターンＰＴ２の動作時間Ｔｓ２（１１．０ｓｅｃ）よりも大きく（１５．００ｓｅｃに）する態様、及び／又は、光源１８０の点滅周期（ｔ１１＋ｔ１２）を、図１４に示す第２報知パターンＰＴ２の点滅周期（ｔ２１＋ｔ２２）（１０００ｍｓｅｃ）よりも小さく（５００ｍｓｅｃに）する態様を例示できる。こうすることで、原稿排出トレイ１６２上に原稿Ｇが有ることをユーザーに分かり易く報知することができる。
【００６６】
なお、制御部１７０は、図１３Ｂに示す第１報知パターンＰＴ１のように、図１３Ａに示す第１報知パターンＰＴ１において、光源１８０の動作時間Ｔｓ１の動作が終了した後、一定時間Ｔａ経過後（１ｍｉｎ後）に、光源１８０を再動作させるようにしてもよい。
【００６７】
また、制御部１７０は、幅方向Ｙにおいて原稿Ｇが所定の基準大きさ範囲の下限値よりも小さい場合も、原稿送り装置１６０等の構造により、原稿Ｇが残されているのが分かり難い。このため、排出方向Ｈにおいて原稿Ｇが所定の基準大きさ範囲の下限値よりも小さい場合と同様の光源１８０の動作制御を行ってもよい。
【００６８】
これに対し、排出方向Ｈ及び／又は幅方向Ｙにおいて原稿Ｇが所定に基準大きさ範囲の上限値より大きい場合は、原稿Ｇが残されているのが見た目でわかり易い。このため、制御部１７０は、図１５Ａを示す第３報知パターンＰＴ３（第３点灯パターン）のように、間隔ｔ３３を間隔ｔ２３よりも小さくし、光源１８０の動作時間Ｔｓ３を、図１４に示す第２報知パターンＰＴ２の動作時間Ｔｓ２（１０．０ｓｅｃ）よりも小さく（８ｓｅｃに）する態様、及び／又は、図１５Ｂを示す第３報知パターンＰＴ３のように、間隔ｔ３３を間隔ｔ２３よりも大きくし、光源１８０の点滅周期（ｔ３１＋ｔ３２）を、図１４に示す第２報知パターンＰＴ２の点滅周期（ｔ２１＋ｔ２２）（１０００ｍｓｅｃ）よりも大きく（１５００ｍｓｅｃに）する態様を例示できる。或いは、制御部１７０は、光源１８０を動作しないという制御も可能である。こうすることで、原稿排出トレイ１６２上に原稿Ｇが排出方向Ｈ及び／又は幅方向Ｙにおいて原稿Ｇが所定に基準大きさ範囲の上限値より大きいことをユーザーに知らせることができる。
【００６９】
図１６は、光源１８０の動作中に排出トレイセンサ１９１がオフした場合での光源１８０の報知パターンＰＴを示すタイミングチャートである。図１６では、報知パターンＰＴとして第２報知パターンＰＴ２を例示しているが、第１報知パターンＰＴ１及び第３報知パターンＰＴ３も同様である。
【００７０】
図１６に示すように、制御部１７０は、光源１８０の動作中において、排出トレイセンサ１９１がオフすれば（原稿Ｇが原稿排出トレイ１６２から取り除かれれば）、光源１８０の動作を終了する。また、再度、原稿排出トレイ１６２に原稿Ｇが置かれたり、一定時間経過したりしても、光源１８０を再動作させない。
【００７１】
［第２実施形態］
本実施の形態において、報知制御手段Ｐ１は、原稿Ｇの排出方向Ｈにおける筐体１６０ａにおける原稿載置トレイ１６１の長さＬ（図５参照）に基づく基準値を基準にして報知パターンＰＴ（ＰＴ１〜ＰＴ３）の切り替え閾値を決定する。こうすることで、各種の筐体１６０ａ（原稿載置トレイ１６１）の長さＬに適切に合わせて適正な報知パターンを決定することができる。
【００７２】
本実施の形態において、報知制御手段Ｐ１は、原稿Ｇの排出方向Ｈに直交する幅方向Ｙにおける筐体１６０ａにおける原稿載置トレイ１６１の幅Ｗ（図５参照）に基づく基準値を基準にして報知パターンの切り替え閾値を決定する。こうすることで、各種の筐体１６０ａ（原稿載置トレイ１６１）の幅Ｗに適切に合わせて適正な報知パターンを決定することができる。
【００７３】
長さＬに基づく基準値及び幅Ｗに基づく基準値は、何れも予め記憶部１７２に記憶されている。
【００７４】
−筐体の長さ基準−
排出方向Ｈにおける筐体１６０ａの長さとして、例えば、制御部１７０は、原稿載置トレイ１６１の長さＬを２９０ｍｍとすると、
・長さＬより大きい第１長さサイズの原稿Ｇを判別し、第１長さサイズの原稿Ｇの報知パターンＰＴとして第３報知パターンＰＴ３を選択する。
【００７５】
また、制御部１７０は、
・長さＬの所定の第１割合ｒ１（ｒ１は０より大きく１未満の実数、８０％）未満（Ｌ×ｒ１＝２３２ｍｍ）の小さい第２長さサイズの原稿Ｇを判別し、第２長さサイズの原稿Ｇの報知パターンＰＴとして第１報知パターンＰＴ１を選択する。
【００７６】
また、制御部１７０は、
・長さＬ以下且つ長さＬの第１割合ｒ１以上の第３長さサイズの原稿Ｇを判別し、第３長さサイズの原稿Ｇの報知パターンＰＴとして第２報知パターンＰＴ２を選択する。
【００７７】
なお、制御部１７０は、排出方向Ｈにおける筐体１６０ａの長さとして、排出方向Ｈにおける原稿排出トレイ１６２の長さに基づく基準値を用いるようにしてもよい。
【００７８】
−筐体の幅基準−
幅方向Ｙにおける筐体１６０ａの幅として、例えば、制御部１７０は、原稿載置トレイ１６１の特定位置（ガイド部材１６１ｂ，１６１ｂの最大間隔）の幅Ｗを３１０ｍｍとすると、
・幅Ｗより大きい第１幅サイズの原稿Ｇを判別し、第１幅サイズの原稿Ｇの報知パターンＰＴとして第３報知パターンＰＴ３を選択する。
【００７９】
また、制御部１７０は、
・幅Ｗの所定の第２割合（ｒ２は０より大きく１未満の実数、７０％）未満（Ｗ×ｒ２＝２１７ｍｍ）の小さい第２幅サイズの原稿Ｇを判別し、第２幅サイズの原稿Ｇの報知パターンＰＴとして第１報知パターンＰＴ１を選択する。
【００８０】
また、制御部１７０は、
・幅Ｗ以下且つ幅Ｗの第２割合ｒ２以上の第３幅サイズの原稿Ｇを判別し、第３幅サイズの原稿Ｇの報知パターンＰＴとして第２報知パターンＰＴ２を選択する。
【００８１】
なお、制御部１７０は、幅方向Ｙにおける筐体１６０ａの幅として、幅方向Ｙにおける原稿排出トレイ１６２の幅に基づく基準値に用いるようにしてもよい。
【００８２】
［第３実施形態］
本実施の形態において、制御部１７０は、サイズ混在検出手段Ｐ４と、記憶制御手段Ｐ５とをさらに備える。サイズ混在検出手段Ｐ４は、原稿排出トレイ１６２上に排出される異なる定型サイズの原稿Ｇの混在を検出する。記憶制御手段Ｐ５は、混在した原稿Ｇのサイズを記憶部に記憶する。
【００８３】
ところで、原稿排出トレイ１６２上に異なる定型サイズの原稿Ｇが混在する場合、原稿Ｇを取り除くときには、より大きいサイズ（Ａ３サイズ等の大サイズ）の原稿Ｇのみ取り除かれ、見えづらいより小さいサイズ（Ａ４サイズ、Ａ５サイズ等の小サイズ）の原稿Ｇが取り忘れてられてしまう可能性がある。
【００８４】
この点、報知制御手段Ｐ１は、サイズ混在検出手段Ｐ４にて混在を検出した場合に、記憶部１７２に記憶した原稿Ｇのサイズのうち、原稿Ｇの排出方向Ｈにおける最も短い長さの原稿Ｇに対応する報知パターンで報知する。ここで、排出方向Ｈにおいて最も小さい原稿Ｇがより大きい原稿Ｇよりもユーザーに注意喚起させる報知パターンＰＴにすることで、混在した原稿Ｇに排出方向Ｈにおいて小さい原稿Ｇが含まれていることをユーザーに注意喚起させることができる。これにより、原稿排出トレイ１６２上に異なる定型サイズの原稿Ｇが混在する場合において、排出方向Ｈにおいて見えづらいより小さいサイズの原稿Ｇの取り忘れを効果的に防止することができる。
【００８５】
図１７Ａは、排出方向Ｈにおいて原稿排出トレイ１６２上に異なる定型サイズの原稿Ｇが混在する場合での報知制御の一例を説明するための説明図である。
【００８６】
図１７Ａに示すように、制御部１７０は、例えば、Ａ３縦、Ｂ４縦、Ａ４横サイズが混載した原稿Ｇ（サイズセンサ１９３により検知した検知サイズはＡ３縦サイズ）の場合、搬送タイミングセンサ１９４にて検出したＡ３縦、Ｂ４縦、Ａ４横サイズの累積情報を記憶部１７２に記憶する。制御部１７０は、排出方向Ｈにおいて記憶部１７２に記憶した累積情報から最小の原稿長であるＡ４サイズを特定する。制御部１７０は、図１２Ａに示す第１テーブルＴＢ１を参照して最小の原稿長であるＡ４サイズに対応する第２報知パターンＰＴ２を選択する。
【００８７】
また、本実施の形態において、報知制御手段Ｐ１は、サイズ混在検出手段Ｐ４にて混在を検出した場合に、記憶部１７２に記憶した原稿Ｇのサイズのうち、原稿Ｇの排出方向Ｈに直交する幅方向Ｙにおける最も短い幅の原稿Ｇに対応する報知パターンで報知する。ここで、幅方向Ｙにおいて最も小さい原稿Ｇがより大きい原稿Ｇよりもユーザーに注意喚起させる報知パターンＰＴにすることで、混在した原稿Ｇに幅方向Ｙにおいて小さい原稿Ｇが含まれていることをユーザーに注意喚起させることができる。これにより、原稿排出トレイ１６２上に異なる定型サイズの原稿Ｇが混在する場合において、幅方向Ｙにおいて見えづらいより小さいサイズの原稿Ｇの取り忘れを効果的に防止することができる。
【００８８】
図１７Ｂは、幅方向Ｙにおいて原稿排出トレイ１６２上に異なる定型サイズの原稿Ｇが混在する場合での報知制御の他の例を説明するための説明図である。
【００８９】
図１７Ｂに示すように、制御部１７０は、例えば、Ｂ４縦、Ａ４縦、Ａ５横サイズが混載した原稿（サイズセンサ１９３により検知した検知サイズはＢ４縦サイズ）の場合、搬送タイミングセンサ１９４にて検出したＢ４縦、Ａ４縦、Ａ５横サイズの累積情報を記憶部１７２に記憶する。制御部１７０は、幅方向Ｙにおいて記憶部１７２に記憶した累積情報から最小の原稿幅であるＡ５サイズを特定する。制御部１７０は、図１２Ａに示す第１テーブルＴＢ１を参照して最小の原稿幅であるＡ５サイズに対応する第１報知パターンＰＴ１を選択する。
【００９０】
ところで、原稿排出トレイ１６２上に過去のジョブの原稿Ｇが存在して異なる定型サイズの原稿Ｇが混在する場合、原稿Ｇを取り除くときには、より大きいサイズ（Ａ３サイズ等の大サイズ）の原稿Ｇのみ取り除かれ、見えづらいより小さいサイズ（Ａ４サイズ、Ａ５サイズ等の小サイズ）の原稿Ｇが取り忘れてられてしまう可能性がある。
【００９１】
本実施の形態において、記憶制御手段Ｐ５は、ジョブ後に、排出トレイセンサ１９１が原稿有を検知した場合に、以降のジョブにおいて排出トレイセンサ１９１が原稿無を検知するまでジョブ毎に原稿排出トレイ１６２上に排出された原稿Ｇのサイズを記憶部１７２に記憶する。報知制御手段Ｐ１は、ジョブ開始前に、排出トレイセンサ１９１が原稿有を検知した場合には、記憶制御手段Ｐ５にて記憶部１７２にジョブ毎に記憶した原稿Ｇのサイズに応じた報知パターンＰＴ（ＰＴ１〜ＰＴ３）で報知する。
【００９２】
ここで、報知制御手段Ｐ１は、排出方向Ｈにおいて最も小さい原稿Ｇがより大きい原稿Ｇよりもユーザーに注意喚起させる報知パターンＰＴ（第１報知パターンＰＴ１）にすることで、混在した原稿Ｇに排出方向Ｈにおいて小さい原稿Ｇが含まれていることをユーザーに注意喚起させることができる。これにより、原稿排出トレイ１６２上に過去のジョブの原稿Ｇが存在して異なる定型サイズの原稿Ｇが混在する場合において、排出方向Ｈにおいて見えづらいより小さいサイズの原稿Ｇの取り忘れを効果的に防止することができる。
【００９３】
また、報知制御手段Ｐ１は、排出方向Ｈにおいてユーザーが十分視認できるとみなせるサイズの原稿Ｇ（例えばＡ３サイズ）が含まれている場合には原稿Ｇの取り忘れを報知しないことで、不要な報知を抑制することができ、それだけ消費電力を低く抑えることができる。
【００９４】
図１８Ａから図１８Ｃは、原稿排出トレイ１６２上に過去のジョブの原稿Ｇが存在して異なる定型サイズの原稿Ｇが混在する場合での報知制御の一例、他の例及びさらに他の例を説明するための説明図である。
【００９５】
図１８Ａに示す例において、例えば、前々回がＡ４横サイズ、前回がＡ５横サイズ、今回がＡ３縦サイズのジョブの場合、制御部１７０は、累積ジョブの中で最小サイズの原稿Ｇの報知パターンＰＴ、この例では、最小サイズであるＡ５サイズに対応する第１報知パターンＰＴ１を選択する。
【００９６】
また、図１８Ｂに示す例において、例えば、３回前がＡ４横サイズ、前々回がＡ５横サイズのジョブの後、原稿排出トレイ１６２からユーザーにより原稿Ｇが取り除かれた場合は、制御部１７０は、累積情報（記憶部１７２に記憶されているサイズの累積情報）を破棄する。そして、制御部１７０は、前回がＡ４横サイズ、今回がＡ３縦サイズのジョブの場合、最小サイズの原稿Ｇの報知パターンＰＴ、この例では、最小サイズであるＡ４サイズに対応する第２報知パターンＰＴ２を選択する。
【００９７】
また、図１８Ｃに示す例において、例えば、前々回がＡ４横サイズ、前回がＡ３縦サイズ、今回がＡ５横サイズのジョブの場合、制御部１７０は、累積ジョブの中に第３報知パターンＰＴ３に対応するサイズ（Ａ３縦サイズ、Ｂ４縦サイズ）を含んでいれば、他ジョブのサイズに関係なく、第３報知パターンＰＴ３を選択する。
【００９８】
＜原稿取り忘れ報知動作の制御例＞
次に、原稿取り忘れ報知動作の制御例について、図１９に示す通常の報知制御例を説明した後、図２０Ａ及び図２０Ｂに示す本実施の形態に係る報知制御例を説明する。
【００９９】
−通常の報知制御例−
図１９は、通常の原稿取り忘れ報知動作の制御の一例を示すフローチャートである。
【０１００】
通常の報知動作では、図１９に示すように、制御部１７０は、ジョブが開始され、最終の原稿Ｇの排出が完了すると（Ｓ１１：Ｙｅｓ）、排出トレイセンサ１９１がオンしているか否かを判断する（Ｓ１２）。制御部１７０は、排出トレイセンサ１９１がオフしている場合には（Ｓ１２：Ｎｏ）、処理を終了する一方、オンしており（Ｓ１２：Ｙｅｓ）、かつ、所定の待ち時間が経過していない場合には（Ｓ１３：Ｎｏ）、Ｓ１２，Ｓ１３の処理を繰り返す。一方、制御部１７０は、所定の待ち時間が経過すると（Ｓ１３：Ｙｅｓ）、光源１８０の第２報知パターンＰＴ２での報知動作を開始する（Ｓ１４）。制御部１７０は、所定の動作時間が経過しておらず（Ｓ１５：Ｎｏ）、かつ、排出トレイセンサ１９１がオンしている場合には（Ｓ１６：Ｙｅｓ）、所定の動作時間が経過するか（Ｓ１５：Ｙｅｓ）、排出トレイセンサ１９１がオフすると（Ｓ１６：Ｎｏ）、光源１８０の動作を終了する（Ｓ１７）。
【０１０１】
−本実施の形態に係る報知制御例−
図２０Ａから図２０Ｃは、本実施の形態に係る原稿取り忘れ報知動作の制御の一例を示すフローチャートである。
【０１０２】
本実施の形態に係る報知動作では、図２０Ａに示すように、制御部１７０は、ジョブが開始され、最終の原稿Ｇの排出が完了すると（Ｓ２１：Ｙｅｓ）、排出トレイセンサ１９１がオンしているか否かを判断する（Ｓ２２）。制御部１７０は、排出トレイセンサ１９１がオフしている場合には（Ｓ２２：Ｎｏ）、処理を終了する一方、オンしている場合において（Ｓ２２：Ｙｅｓ）、所定の第１待ち時間が経過すると（Ｓ２３：Ｙｅｓ）、原稿Ｇが基準大きさ範囲外か基準大きさ範囲内かを判断する（Ｓ２４〜Ｓ３８）。つまり、制御部１７０は、原稿Ｇが基準大きさ範囲の下限値より小さい場合には（Ｓ２４：Ｙｅｓ）、光源１８０の第１報知パターンＰＴ１での報知動作を開始し、図２０Ｂに示すフローチャートに移行する（Ｓ２５）。また、制御部１７０は、原稿Ｇが基準大きさ範囲の上限値より大きい場合には（Ｓ２４：Ｎｏ、Ｓ２６：Ｙｅｓ）、光源１８０の第３報知パターンＰＴ３での報知動作を開始し、図２０Ｂに示すフローチャートに移行する（Ｓ２７）。また、制御部１７０は、原稿Ｇが基準大きさ範囲内の場合には（Ｓ２４：Ｎｏ、Ｓ２６：Ｎｏ）、光源１８０の第２報知パターンＰＴ２での報知動作を開始し、図２０Ｂに示すフローチャートに移行する（Ｓ２８）。
【０１０３】
図２０Ｂに示すように、制御部１７０は、排出トレイセンサ１９１がオンしており（Ｓ２９：Ｙｅｓ）、所定の動作時間が経過していない場合には（Ｓ３０：Ｎｏ）、Ｓ２９，Ｓ３０の処理を繰り返す。一方、制御部１７０は、排出トレイセンサ１９１がオフすると（Ｓ２９：Ｎｏ）、図２０Ａに示すフローチャートに移行し、処理を終了する。また、制御部１７０は、排出トレイセンサ１９１がオンし（Ｓ２９：Ｙｅｓ）、所定の動作時間が経過すると（Ｓ３０：Ｙｅｓ）、光源１８０の動作を終了し（Ｓ３１）、図２０Ｃに示すフローチャートに移行する。
【０１０４】
図２０Ｃに示すように、制御部１７０は、原稿Ｇが基準大きさ範囲の下限値より小さいか否かを判断し（Ｓ３２）、小さい場合には（Ｓ３２：Ｙｅｓ）、排出トレイセンサ１９１がオンしているか否かを判断する（Ｓ３３）。一方、制御部１７０は、原稿Ｇが基準大きさ範囲の下限値以上の場合には（Ｓ３２：Ｎｏ）、又は、排出トレイセンサ１９１がオフしている場合には（Ｓ３３：Ｎｏ）、図２０Ａに示すフローチャートに移行し、処理を終了する。また、制御部１７０は、排出トレイセンサ１９１がオンしている場合において（Ｓ３３：Ｙｅｓ）、所定の第２待ち時間が経過していない場合には（Ｓ３４：Ｎｏ）、Ｓ３３に移行する。制御部１７０は、所定の第２待ち時間が経過した場合には（Ｓ３４：Ｙｅｓ）、光源１８０の第１報知パターンＰＴ１での報知動作を開始する（Ｓ３５）。ここで、第２待ち時間は第１待ち時間と同じでもよいし、第１待ち時間よりも大きくしてもよい。制御部１７０は、所定の動作時間が経過するまで（Ｓ３６：Ｎｏ）、Ｓ３３〜Ｓ３６の処理を繰り返し、所定の動作時間が経過すると（Ｓ３６：Ｙｅｓ）、光源１８０の動作を終了し（Ｓ３７）、Ｓ３３〜Ｓ３７の処理を繰り返す。
【０１０５】
（その他の実施の形態）
以上説明した例では、本実施の形態に係るシート取り忘れ報知装置を原稿送り装置１６０に備えるようにしたが、本実施の形態に係るシート取り忘れ報知装置を画像形成装置本体１０１に備えるようにしてもよい。この場合、シートは用紙に対応し、排出トレイは用紙排出トレイ１４１に対応する。この場合、筐体としては、画像読取部１３０の下方に空間ＳＰを介して用紙排出トレイ１１４が設けられた構造のものを例示できる
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１０６】
１００    画像形成装置
１０１    画像形成装置本体
１０２    画像読取装置
１６０    原稿送り装置
１６１    原稿載置トレイ（載置トレイ）
１６２    原稿排出トレイ（排出トレイ）
１７０    制御部
１７１    処理部
１７２    記憶部
１８０    光源
１９１    排出トレイセンサ
１９２    原稿載置センサ
１９３    サイズセンサ
１９３ａ  第１サイズセンサ
１９３ｂ  第２サイズセンサ
１９４    搬送タイミングセンサ
１９４ａ  第１搬送タイミングセンサ
１９４ｂ  第２搬送タイミングセンサ
１９５    排出センサ
Ｅ        搬送方向
Ｇ        原稿（シート）
Ｈ        排出方向
Ｐ１      報知制御手段
Ｐ２      サイズ検出手段
Ｐ３      計測手段
Ｐ４      サイズ混在検出手段
Ｐ５      記憶制御手段
ＰＴ      報知パターン
ＰＴ１    第１報知パターン
ＰＴ２    第２報知パターン
ＰＴ３    第３報知パターン
ＴＢ１    第１テーブル
ＴＢ２    第２テーブル
Ｘ        横方向
Ｙ        幅方向
Ｚ        高さ方向
【図１】
2020136889.tif 000003
【図２】
2020136889.tif 000004
【図３】
2020136889.tif 000005
【図４】
2020136889.tif 000006
【図５】
2020136889.tif 000007
【図６】
2020136889.tif 000008
【図７】
2020136889.tif 000009
【図８】
2020136889.tif 000010
【図９】
2020136889.tif 000011
【図１０】
2020136889.tif 000012
【図１１】
2020136889.tif 000013
【図１２Ａ】
2020136889.tif 000014
【図１２Ｂ】
2020136889.tif 000015
【図１３Ａ】
2020136889.tif 000016
【図１３Ｂ】
2020136889.tif 000017
【図１４】
2020136889.tif 000018
【図１５Ａ】
2020136889.tif 000019
【図１５Ｂ】
2020136889.tif 000020
【図１６】
2020136889.tif 000021
【図１７Ａ】
2020136889.tif 000022
【図１７Ｂ】
2020136889.tif 000023
【図１８Ａ】
2020136889.tif 000024
【図１８Ｂ】
2020136889.tif 000025
【図１８Ｃ】
2020136889.tif 000026
【図１９】
2020136889.tif 000027
【図２０Ａ】
2020136889.tif 000028
【図２０Ｂ】
2020136889.tif 000029
【図２０Ｃ】
2020136889.tif 000030
【図２１Ａ】
2020136889.tif 000031
【図２１Ｂ】
2020136889.tif 000032
【図２１Ｃ】
2020136889.tif 000033
【図２１Ｄ】
2020136889.tif 000034